【事件の表示】
　特願２００７−３１９１０９「医用画像提供システム」拒絶査定不服審判事件〔平成２０年　５月　１日出願公開、特開２００８−１０２９５６〕について、次のとおり審決する。
【結　論】
　本件審判の請求は、成り立たない。
【理　由】
１　手続の経緯
　本願は，特許法第４１条に基づく優先権主張を伴う平成１３年３月１４日（優先日：平成１２年９月４日，出願番号：特願２０００−２６６５６０号）の出願である特願２００１−７１３１３号の一部を平成１９年１２月１１日に新たな特許出願としたものであって，平成２２年６月１７日付けの拒絶理由の通知に対し，平成２２年９月１７日に意見書が提出されるとともに手続補正がなされたが，平成２３年４月４日付けで拒絶査定がされ，これに対し平成２３年８月８日に審判請求がなされるとともに手続補正がなされ，平成２４年５月８日付けで審尋がなされ，これに対して平成２４年８月８日付けで回答書が提出され，平成２５年１月１０日付けで当審において拒絶理由が通知され，これに対し，平成２５年４月１１日に意見書が提出されるとともに手続補正がなされたものである。
　
２　本願発明について
（１）本願発明
　本願の請求項１ないし１１に係る発明は，平成２５年４月１１日の手続補正により補正された特許請求の範囲の請求項１ないし１１に記載された事項により特定されるものであるところ，その請求項１に係る発明（以下，「本願発明」という。）は，補正された明細書及び図面の記載からみて，その請求項１に記載された事項により特定される，次のとおりのものである。
　「表示部を有する送信加入者装置の通信部と，セキュリティ管理部及び画像処理部を有するサーバー装置の通信部と，表示部を有する受信加入者装置の通信部とがネットワークを介して接続された医用画像提供システムであって，
　送信加入者装置は，通信部及びネットワークを介して医用画像データを含む画像処理要求データをサーバー装置に送信し，
　サーバー装置は，通信部を介して前記画像処理要求データを受信し，
　セキュリティ管理部は，受信した前記画像処理要求データから送信加入者装置の画像処理要求の正当性をチェックし，
　セキュリティ管理部がチェックした前記画像処理要求が正当であった場合には，
　画像処理部は，受信した前記画像処理要求データに含まれる医用画像データについて画像処理を行ない，
　サーバー装置は，前記画像処理が行なわれた医用画像データを含む画像処理結果データを通信部及びネットワークを介して前記画像処理要求データをサーバー装置に送信した送信加入者装置と同一の装置である受信加入者装置に送信し，
　受信加入者装置は，通信部を介して前記画像処理結果データを受信し，前記画像処理が行なわれた医用画像を表示部に表示し，
　前記画像処理部が行なう画像処理は，平滑化，微分，ラプラシアン，線条検出もしくはバンドパスのイメージ処理，又は，加算，減算もしくはＭＩＰの投影処理であることを特徴とする医用画像提供システム。」
　
（２）平成２５年１月１０日付けの拒絶理由の概要
　当審において平成２５年１月１０日付けで通知した拒絶理由の概要は，本願の請求項１ないし１４の発明は，本願の優先日前に頒布された，特開平１１−２１３１４４号，特開平１１−４５３０４号，特開平１１−２３９１６５号各公報に記載された発明，常とう手段，及び周知技術に基づいて当業者が容易に発明をすることができたものであるから，特許法２９条２項の規定により特許を受けることができない，というものである。
　
（３）引用例
ア　引用例１
（ア）特開平１１−２１３１４４号公報（以下，「引用例１」という。）引用例１には，次の記載がある。
　「【０００１】
【発明の属する技術分野】本発明は，画像データを記憶装置に記憶させる画像記憶方法，および該方法を適用したメディカルネットワークシステム等において画像を表示等させる画像出力システムに関するものである。」
　「【０００６】
【発明が解決しようとする課題】しかしながら，上述のように原画像データ（圧縮を施す場合も含む）のまま一旦記憶した後，何れの端末で画像を表示する場合であっても常に原画像データを読み出して，各端末で所定の画像処理を施し画像を表示するという従来の表示方法では，例えば，解像度が１０００ＴＶ本のＣＲＴを有するローコスト読影端末が診断用の中精細画像を表示する場合であっても，或いは検索用端末が検索用画像を表示する場合であっても，記憶装置からの画像データの読み出しに際しては，何れの端末でも高精細画像を表示する際の読影端末用の読出時間と同じ時間が掛かってしまう。また，これら画像出力装置は，読み出された画像データに対して，夫々ローコスト読影端末用或いは参照端末用の所定の画像処理を施す必要があり，この画像処理には時間が掛かることから，何れの端末によっても最終的に画像が表示されるまでには相当の時間が掛かり，特に検索用端末等比較的出力品質の劣る表示で十分な画像出力装置にあっては，画像が表示されるまでに長時間掛かるということが問題となっていた。」
　「【０００８】本発明は上記事情に鑑みなされたものであって，例えば用途別に表示品質の異なる画像出力装置が複数接続されたネットワークにおいても，記憶装置から読み出された画像データを用途に応じてより高速に転送或いは出力（表示）できるように，画像データを記憶装置に記憶させる画像記憶方法，および該方法を適用した画像出力システムを提供することを目的とするものである。」
　「【０００９】
【課題を解決するための手段】本発明による画像記憶方法は，画像を担持する画像データを記憶装置に記憶させる画像記憶方法であって，同一画像を担持する，少なくとも解像度変更処理および画像処理の双方について相異なる処理が施された複数の画像データを記憶装置に記憶させることを特徴とする。」
　「【００１１】また，「解像度変更処理」とは，解像度を低下させたり向上させたりする信号処理であって，例えば１／４縮小やサムネイル１／１６縮小など解像度を低下させる信号処理の他，逆に解像度を向上させる信号処理をも含む。一方「画像処理」とは，例えば，階調処理，強調処理，周波数処理等の画像の内容自体を変更する処理を意味し，例えば解像度変更処理，データのビット数を変えるビット数変更処理，データ量を圧縮する圧縮処理等の画像の形式を変更する処理を含まない。」
　「【００１３】本発明による画像出力システムは，画像データを記憶する記憶装置と，該記憶装置から画像データを読み出してこの読み出した画像データに基づいて画像を出力する出力画像品質の異なる複数の画像出力装置とを備えて成る画像出力システムであって，記憶装置に，同一画像を担持する，少なくとも解像度変更処理および画像処理の双方について，前記画像出力装置の夫々に対応する相異なる処理が施された複数の画像データを記憶させ，画像出力装置の夫々が，記憶装置から夫々の画像出力装置に対応する画像データを読み出し，この読み出した画像データに基づいて画像を出力することを特徴とする。
【００１４】この画像出力システムは，記憶装置に記憶させる複数の画像データが予め準備されていない場合にも適用できるようにすることも可能であり，そのためには，該システムが，前記複数の画像データを得る処理装置を備えるものとし，記憶装置が，処理装置により得られた複数の画像データを記憶するのが望ましい。」
　「【００１９】図１は，本発明による画像記憶方法および該方法を適用した画像出力システムの構成を示した概念図である。この画像出力システムは，夫々がネットワークに接続された，画像を得る各種モダリティ40（ＣＲ42，ＣＴ44等）と，出力画像品質の異なる複数の画像出力装置10（診断用ＷＳ12，参照端末14，ＬＰ16）と，各種モダリティ40により得られた同一画像に対して所定の信号処理を施して画像出力装置10用の画像データを得る処理手段（ＱＡ−ＷＳ20）と，ＱＡ−ＷＳ20により得られた画像データを記憶する記憶装置（画像サーバ30）とから構成されている。・・・また，ネットワークとしては，例えば病院内におけるメディカルネットワークシステムであっても良いし，インターネットＷｅｂブラウザを利用するパソコン通信システムであっても良い。・・・
【００２０】診断用ＷＳ12は，解像度２０００ＴＶ本のＣＲＴを有する高精細画像を表示可能な精密診断用に好適な読影端末であり，参照用端末14は，診断用ＷＳ10より出力品質が劣り（例えば，解像度数１００ＴＶ本のＣＲＴを有するパソコンＰＣ），簡易画像処理機能を有する端末である。
【００２１】ＱＡ−ＷＳ20は，各種モダリティ40により得られた画像に対して規格化処理（ＥＤＲ処理）を施して規格化画像データを得る規格化処理手段22，この規格化画像データ（正確には画像サーバ30に一旦記憶された後読み出された規格化画像データ）に対して解像度に関する信号処理や該信号処理以外の所定の画像処理（詳細は後述する）を施して画像処理済データを得る画像処理手段24およびこの画像処理済データに対して画像の品質を調整するための処理を施してＱＣ画像データを得るＱＣ手段26から成っている図２参照）。」
　「【００２５】ＱＡ−ＷＳ20が，各種モダリティ40により得られた画像を規格化処理手段22に取り込む。規格化処理手段22は，各種モダリティ40により得られた画像に対して規格化処理を施して10ビットの規格化画像データ（原画像データに相当する）を得，この規格化画像データを画像サーバ30に一旦記憶させる（図２中，破線内の原画像ｐ）。
【００２６】ＱＡ−ＷＳ20の画像処理手段24が，画像サーバ30に記憶されている規格化画像データを読み出して，読み出された規格化画像データに対して解像度に関する信号処理および該信号処理以外の画像処理（例えば，階調処理等）を施して，これら処理が施された画像処理済データを画像サーバ30に一旦記憶させる。また，ＱＡ−ＷＳ20のＱＣ手段が，画像処理手段24により処理された画像処理済データに対して画像の品質を調整するための処理を施してＱＣ画像データを得，ＱＣ画像データを画像サーバ30に一旦記憶させる。」
　「【００３１】次に，診断用ＷＳ12或いは参照用端末14等により画像を出力する場合について説明する。最初に各種モダリティ40により得られた画像が規格化処理手段22に取り込まれ，規格化処理手段22により規格化処理が施された10ビットの原画像データａが画像サーバ30に一旦記憶される。次に画像処理手段24により画像サーバ30に記憶されている規格化画像データｃが読み出され，上述のような解像度に関する信号処理および該信号処理以外の画像処理（例えば，階調処理等）が施された画像処理済データｄが画像サーバ30に一旦記憶される。また，ＱＣ手段により画像処理済データに対して画像の品質を調整するための処理が施されたＱＣ画像データｅが画像サーバ30に記憶される。
【００３２】診断用ＷＳ12により画像を出力する場合，診断用ＷＳ12は，診断用の高精細な画像を表示させたいときには，画像サーバ30に記憶されている原画像データｆを読み出し，原画像データｆに基づいて画像を出力する。また，高精細な画像を表示させる必要がないとき（例えば，画像検索時），診断用ＷＳ12は，画像処理手段24により処理された画像処理済データｄ（データ内容は画像処理済データ（ｄ））を画像サーバ30に記憶させることなく，或いは，画像サーバ30に記憶されている画像処理済データｈ（データ内容は画像処理済データ（ｄ））を読み出し，画像処理済データｄまたはｈに基づいて検索用画像を素速く表示させることもできる。
【００３３】一方，参照用端末14により画像を出力する場合，参照用端末14は，参照用の低解像度の画像を表示させたいときには，画像サーバ30に記憶されている，画像処理済データ（ｂ）〜（ｅ）により構成された画像ファイルｓの中から画像処理済データ（ｃ）を読み出し，読み出された画像処理済データ（ｃ）に基づいて参照用の画像を出力する。・・・」
　「【００３５】このように，本発明による画像記憶方法および画像出力システムに依れば，同一画像を担持する，少なくとも解像度変更処理および画像処理の双方について相異なる処理が施された複数の画像データを画像サーバ30に記憶させるようにしたので，画像出力装置10の出力品質に応じて，画像を出力するに際して所望の画像データを読み出して画像を出力することが可能となり，特に原画像データ以外でよい場合には，原画像データを読み出した後に所定の画像処理を施して画像を出力するよりも，所望の処理済画像データを読み出して出力することにより，原画像データより小さな容量の画像データを扱うことができ，読出しのデータ転送速度が高速になるとともに，短時間で画像を出力できるようになる。」
　
（イ）上記記載によれば，引用例１には，次の技術的事項が記載されている。
ａ　引用例１に記載された技術は，メディカルネットワークシステム等において画像を表示させる画像出力システムに係る技術である（【０００１】）。
ｂ　引用例１に記載されたシステムは，画像を得る各種モダリティ40（ＣＲ42，ＣＴ44等）と，出力画像品質の異なる複数の画像出力装置10（診断用ＷＳ12，参照端末14）と，各種モダリティ40により得られた同一画像に所定の信号処理を施して画像出力装置10用の画像データを得る処理手段（ＱＡ−ＷＳ20）と，処理手段により得られた相異なる処理が施された複数の画像データを記憶する記憶装置（画像サーバ30）とが，それぞれネットワークに接続されており（【００１９】），ＱＡ−ＷＳ20は，各種モダリティ40により得られた画像に規格化処理を施して規格化画像データを得る規格化処理手段22，規格化画像データに解像度に関する信号処理や所定の画像処理を施した画像処理済データを得る画像処理手段24，及び画像処理済データに画像の品質を調整するための処理を施してＱＣ画像データを得るＱＣ手段26とから構成されている。
　ここで，診断用ＷＳ12は，高精細画像を表示可能な精密診断用に好適な読影端末であり，参照用端末14は，診断用ＷＳ10より出力品質が劣り，簡易画像処理機能を有する端末であり（【００２０】），また，ネットワークとしては，病院内のネットワークシステムに限らず，インターネットＷｅｂブラウザを利用するパソコン通信システムであっても良い（【００１９】）。
ｃ　まず，各種モダリティ40により得られた画像は，規格化処理手段22により規格化処理が施され，原画像データとして画像サーバ30に一旦記憶され，処理手段（ＱＡ−ＷＳ20）の画像処理手段24は，前記規格化画像データを読み出し，解像度変更処理及び画像処理を施して，画像処理済データ（相異なる処理が施された複数の画像データ）として画像サーバ30に記憶させ，ＱＣ手段は，画像処理済データに画像の品質を調整するための処理を施して，ＱＣ画像データを得て画像サーバ30に記憶させる（【００１９】〜【００２６】，【００３１】，図２）。
　ここで，解像度変更処理とは，解像度を低下させたり向上させたりする信号処理であり，一方，画像処理とは，例えば，階調処理，強調処理，周波数処理等の画像の内容自体を変更する処理であって，解像度変更処理を含まない，（【００１１】）。
ｄ　診断用ＷＳ12により診断用の高精細な画像を表示させたいときは，画像サーバ30に記憶されている原画像データを読み出し，原画像データに基づいて画像を出力し，一方，高精細な画像を表示させる必要がないとき，例えば，画像検索時は，画像処理手段24により処理され画像サーバ30に記憶されている画像処理済データを読み出し，当該画像処理済データに基づいて検索用画像を素速く表示させる（【００３２】）。
ｅ　一方，参照用端末14により参照用の低解像度の画像を表示させたいときは，画像サーバ30に記憶されている複数の画像処理済データにより構成された画像ファイルｓの中から所定の画像処理済データを読み出し，当該画像処理済データに基づいて参照用の低解像度の画像を出力する（【００３３】）。
　
（ウ）以上のことから，引用例１には，次の発明（以下，「引用発明」という。）が記載されていると認められる。
　「メディカルネットワークシステム等において画像を表示させる画像出力システムであって，
　画像を得る各種モダリティと，複数の画像出力装置と，当該画像に解像度変更処理及び画像処理を施した複数の画像処理済データを得る画像処理手段を備えた処理手段（ＱＡ−ＷＳ）と，処理手段により得られた画像データを記憶する画像サーバとが，それぞれネットワークに接続されており，
　ここで，画像処理は，例えば，階調処理，強調処理，周波数処理等の画像の内容自体を変更する処理であり，ネットワークは，病院内のネットワークシステムに限らず，インターネットＷｅｂブラウザを利用するパソコン通信システムであっても良く，
　ＱＡ−ＷＳの画像処理手段は，各種モダリティにより得られた画像（原画像データ）を読み出し，解像度変更処理及び画像処理を施して，画像処理済データとして画像サーバに記憶させ，
　画像出力装置により診断用の高精細な画像を表示させたいときは，画像サーバに記憶されている原画像データを読み出し，原画像データに基づいて画像を出力し，一方，高精細な画像を表示させる必要がないときは，画像サーバに記憶されている画像処理済データを読み出し表示させる，
　画像出力システム。」
　
イ　引用例２
（ア）特開平１１−４５３０４号公報（以下，「引用例２」という。）には，次の記載がある。
　「【０００１】
【発明の属する技術分野】本発明は，医療サービス等の向上を図るための医療支援システムに関するものである。」
　「【０００８】
【課題を解決するための手段】本発明の医療支援システムは，少なくとも各種医療機関に設置される端末と，データ管理機関に設置されるホストとがネットワークを介して接続された医療支援システムであって，少なくとも上記各種医療機関で作成される患者の医療データを，上記ネットワークを介して伝送して上記データ管理機関で集中管理するようにし，上記各種医療機関からの要求に応じて上記医療データを提供するようにしたことを特徴とする。」
　「【００１１】本発明のその他の特徴とするところは，上記データ管理機関のホストは，上記各種医療機関および一般宅等から送られてくる認証用データに基づいて利用者の認証を行う認証手段と，上記認証手段による認証結果に基づいて，認証された利用者に対してあらかじめ利用を定めたデータのみを提供するように制御するデータ利用制御手段とを備えたことを特徴とする。
【００１２】ここで，例えば上記認証手段は，上記データ管理機関にて集中管理されているデータの利用について，あらかじめ定めた利用権限のある利用者および利用者グループを認証し，上記データ利用制御手段は，上記認証手段により認証された利用者および利用者グループに対して，あらかじめ利用を定めたデータのみを提供するように制御する。」
　「【００２０】図２に示すように，本実施形態では，小規模な医院やクリニック２１，大規模な入院病院や専門病院２２，専門検査機関２３などの様々な医療機関で作成される患者の医療データ（診療記録，検査データ等）や医院・病院等の業務データ（医薬品・消耗品の入出庫や使用，検査機器の利用計画のデータ等）を，オープンネットワーク２４を介して単一の医療支援サービス機関２５に伝送し，データベースとして集中管理する。
【００２１】そして，医療支援サービス機関２５では，上述した各種医療機関２１〜２３，一般住民や患者２６，または自治体等２７からの要求に応じて，データベース化されたデータの一部あるいは全部をオープンネットワーク２４を介して要求元に伝送することにより，後述するような住民支援サービス，医院支援サービス，医療評価サービスなどの各種サービスを提供する。」
　「【００２７】図１に示すように，病院・医院・診療所などの各種の医療施設（以下，医院・診療所等と記す）２１，２２，専門の検査機関２３，および患者・一般利用者などの一般宅（以下，患者等と記す）２６のそれぞれには，本システムで使用する端末１０，１５，１８が夫々備えられる。これらの端末は，医療支援サービス機関２５に対して様々な指示や要求あるいは各施設で作成された医療データや業務データを送ったり，それに応じて当該医療支援サービス機関２５から送られてくるデータなどを参照したりするのに使用される。
【００２８】医院・診療所等２１，２２の端末１０と患者等２６の端末１８には認証用入力装置１１，１９が夫々接続される。患者，医師，看護婦その他の医療関係者等の利用者は，それぞれ独自の認証用のＩＣカードを持ち，そのカード情報によって認証が行われる。・・・」
　「【００３０】そして，本実施形態では，あらかじめ定めた利用権限のある利用者および利用者グループの認証結果に基づいて，システムの利用（医療支援サービス機関２５の集中データ貯蔵装置７で集中管理されている医療データや業務データへのアクセスや，アプリケーション装置４における各種アプリケーションの利用）を承認する。・・・
【００３１】すなわち，集中データ貯蔵装置７に貯蔵された医療データおよび業務データの利用について，貯蔵データ利用制御装置５は，認証装置２で認証された利用者および利用者グループに対して，あらかじめ定めたデータのみを供給するように制御する。・・・」
　「【００４５】上記利用者側データ貯蔵装置１３は，ネットワークにおける応答遅れ等に対処するための手段としても利用される。例えば，Ｘ線画像や超音波データなどの医療画像データはデータ量が膨大であり，伝送に時間がかかるので，医療支援サービス機関２５から医院・診療所等２１，２２の利用者側データ貯蔵装置１３に必要な医療画像等を先送りして貯蔵しておくことにより，そこから医療画像等を迅速に取り出して利用することができるようになる。」
　
（イ）以上の記載から，引用例２には，次の発明（以下，「引用例２発明」という。）が記載されていると認められる。
　「各種医療機関及び一般宅等に設置される端末と，データ管理機関に設置されるホストとがネットワークを介して接続され，上記各種医療機関で作成される患者の医療データを，上記ネットワークを介して伝送して上記データ管理機関で集中管理するようにし，上記各種医療機関及び一般宅等からの要求に応じて上記医療データを提供するようにした医療支援システムであって（段落【０００８】），
　データ管理機関のホストは，上記各種医療機関及び一般宅等から送られてくる認証用データに基づいて利用者の認証を行う認証手段と，上記認証手段による認証結果に基づいて，認証された利用者に対してあらかじめ利用を定めたデータのみを提供するように制御するデータ利用制御手段とを備え（段落【００１１】，【００１２】，【００３０】），
　データ管理機関で集中管理する患者の医療データには，Ｘ線画像や超音波データなどの医療画像データが含まれる（段落【００４５】），
　医療支援システム。」
　
ウ　引用例３
（ア）特開平１１−２３９１６５号公報（以下，「引用例３」という。）には，次の記載がある。
　「【０００１】
【発明の属する技術分野】本発明は，各種医療機器をネットワークで接続したメディカルネットワークシステムに関するものである。」
　「【０００９】本発明は，上記問題点に鑑みて，参照端末でも診断用の高性能ワークステーションなどと同等の高速な画像処理，表示を行うことができ，かつコストがかからないメディカルネットワークシステムを実現することを目的とするものである。」
　「【００１０】
【課題を解決するための手段】本発明の第１のメディカルネットワークシステムは，画像収録モダリティにより収録された画像データおよび該画像データの画像処理に使用する画像処理パラメータを保管する画像保管手段と，該画像保管手段により保管された画像データを，医用プロトコルに基づく通信機能を備えた画像取扱装置に対し，前記医用プロトコルに基づいて供給する第１の画像供給手段と，前記画像保管手段により保管された画像データおよび画像処理パラメータと所定の画像表示プログラムとを，汎用プロトコルに基づく通信機能を備えた画像参照端末に対し，前記汎用プロトコルに基づいて供給する第２の画像供給手段と，前記画像参照端末上で実行された前記画像表示プログラムからの要求に応じて，該画像参照端末から前記画像処理パラメータとともに転送された画像データに対して画像処理を実行し，処理済画像データを前記画像参照端末に対して返送する画像処理手段とを備えることにより，前記画像参照端末が，前記第２の画像供給手段から供給された画像データに対する画像処理を前記画像処理手段に行わせ，該画像処理手段から返送された処理済画像データの表示処理のみを行うことを可能にしたことを特徴とするものである。」
　「【００２９】図１のシステムにおいて，ネットワーク８は，例えばイーサネット，ＦＤＤＩなど，病院構内に配線されたローカルエリアネットワーク（ＬＡＮ）である。この際，このＬＡＮは専用回線あるいはＩＳＤＮなどの公衆回線を介して，インターネットや他の病院のＬＡＮと接続されていてもよい。ネットワーク８には，メディカルネットワークシステムを構成する機器として，画像収録モダリティ３，画像サーバ１，診断端末４，レーザプリンタ５，数十台から数百台の参照端末６，および数台の画像処理サーバ７が接続されている。
【００３０】画像収録モダリティ３は，例えばＣＴ，ＭＲＩ，ＣＲ，ＲＩ，ＵＳなど，患者に係る画像をデジタルデータとして収録するための装置あるいはシステムである。・・・
【００３１】画像サーバ１は，ＤＩＣＯＭインタフェースが実装されたサーバコンピュータであり，画像収録モダリティ３により収録された画像データ９を画像データベース２に保管するものである。・・・
【００３２】また，画像サーバ１は，診断端末４や参照端末６からの要求に応じて保管された画像データの中から要求された画像データを検索して読み出し，供給する機能も備えている。・・・」
　「【００３７】また，参照端末６は，画像データの参照のみを目的として設置される端末である。つまり，画像処理条件を変更したり，その他，画像データベース２内の情報を書きかえるような処理は参照端末６では行われない。・・・」
　「【００３９】図２は，この画像処理サーバ７の役割と，参照端末による画像参照処理を説明するための図である。上述のように，本実施の形態では，画像サーバ１には，Ｗｅｂサーバ11が実装されており，このＷｅｂサーバ11が，Ｗｅｂ接続された装置対し画像データベース２に保管された画像データ９および画像処理パラメータ10を供給する。参照端末６は，例えばインターネットエクスプローラ，あるいはネットスケープナビゲータのようなＷｅｂブラウザ14の機能により画像サーバ１に対してＷｅｂ接続することができる。
【００４０】参照端末６上で画像データ９の表示が要求されると，画像サーバ１から参照端末６に対して，画像の表示処理を行うＡｃｔｉｖｅＸコントロール，画像データ９および画像処理パラメータ10が転送される。Ｗｅｂブラウザ14はＡｃｔｉｖｅＸコントロールを実行することにより転送された画像データの画像処理および画面表示を行う。
【００４１】但し，この際，画像処理を実行する画像処理コンポーネント19は，画像処理サーバ７上に実装されており，Ｗｅｂブラウザ14が画像処理の実行を要求することにより，参照端末から画像処理サーバ７へ自動的に画像データ９と画像パラメータ10が転送され，画像処理サーバ７上で画像処理が実行される。さらに，処理済画像データは画像処理サーバ７から参照端末６に返送され，参照端末６のハードディスクに書き込まれる。Ｗｅｂブラウザ14は返送された処理済画像データを画面上に表示出力する。つまり，参照端末６は，この画像処理サーバ７のＣＰＵを利用して，参照する画像データの画像処理を実行することができる。」
　
（イ）以上の記載から，引用例３には，次の発明（以下，「引用例３発明」という。）が記載されていると認められる。
　「各種医療機器（画像収録モダリティ，画像サーバ，画像処理サーバ，参照端末）がネットワークで接続されたメディカルネットワークシステムにおいて（段落【０００１】，図１），
　画像サーバは，画像収録モダリティにより収録された画像データおよび該画像データの画像処理に使用する画像処理パラメータを画像データベースに保管し（段落【００３１】，【００３９】），
　参照端末は，画像データの参照のみを目的として設置される端末であり（段落【００３７】），
　画像処理を実行する画像処理コンポーネントは，画像処理サーバ上に実装されており（段落【００４１】），
　参照端末上で画像データの表示が要求されると，画像サーバから参照端末に対して，画像の表示処理を行うＡｃｔｉｖｅＸコントロール，画像データ９および画像処理パラメータ10が転送され（段落【００４０】），
　参照端末のＷｅｂブラウザ14が画像処理の実行を要求することにより，参照端末から画像処理サーバに画像データと画像パラメータが転送され，画像処理サーバ上で画像処理が実行され，処理済画像データが参照端末に返送され，Ｗｅｂブラウザによって，返送された処理済画像データを画面上に表示出力する（段落【００４１】），
　メディカルネットワークシステム。」
　
（４）対比
ア　本願発明と引用発明とを対比する。
（ア）引用発明は，「メディカルネットワークシステム等において画像を表示させる画像出力システム」に係るものであり，本願発明と同様に，「医用画像提供システム」の技術分野に属するものである。
（イ）引用発明において，複数の画像出力装置，処理手段ＱＡ−ＷＳ，画像サーバ，モダリティは，それぞれネットワークに接続されているところ，「ネットワークは，病院内のネットワークシステムに限らず，インターネットＷｅｂブラウザを利用するパソコン通信システムであっても良」いことが特定されていることから，引用発明が対象とするネットワークには，ＬＡＮやインターネット等が含まれる。また，前記画像出力装置，処理手段ＱＡ−ＷＳ，画像サーバ等が，「通信部」を介してネットワークに接続され，「通信部」を介してデータを送受信することは，技術常識である。
　引用発明において，各種モダリティから得られる画像及び画像出力装置に表示される画像あるいはそのデータは，「医用画像」あるいは「医用画像データ」にほかならない。
　引用発明の「画像出力装置」は，後記の点で相違するものの，本願発明の「表示部を有する送信加入者装置」又は「表示部を有する受信加入者装置」に対応するものであり，これらは，その機能から，「表示部を有する端末装置」と総称することができる。
　引用発明における，「処理手段（ＱＡ−ＷＳ）」の「画像処理手段」は，各種モダリティにより得られた画像（原画像データ）に，解像度変更処理及び画像処理を施すものであり，本願発明における，医用画像データに画像処理を行なう「画像処理部」に相当する。
　引用発明の「画像サーバ」は，画像処理手段により画像処理が施された画像処理済データを記憶し，画像出力装置に画像を表示するにあたり，記憶した画像処理済データを読み出して出力するものであり，後記の点で相違するものの，「サーバー装置」ということができる。
　これらのことから，本願発明と引用発明は，「表示部を有する複数の端末装置の通信部と，サーバー装置の通信部とがネットワークを介して接続され，画像処理部を有する医用画像提供システム」である点で共通する。
（ウ）引用発明において，ＱＡ−ＷＳの「画像処理手段」は，各種モダリティにより得られた医用画像に解像度変更処理及び画像処理を施し，画像処理済データとして画像サーバに記憶させ，「画像出力装置」は，「診断用の高精細な画像を表示させたいときは，画像サーバに記憶されている原画像データを読み出し，原画像データに基づいて画像を出力し，一方，高精細な画像を表示させる必要がないときは，画像処理手段により処理された画像処理済データを画像サーバに記憶されている画像処理済データを読み出し表示させる」ものであり，ここで，画像サーバから読み出される画像処理済データは，画像出力装置（端末装置）からの「要求」あるいは「要求データ」によるものということができる。
　引用発明は，本願発明に対応させれば，「画像処理部」は，「医用画像データについて画像処理」を行ない，「端末装置」は，「通信部及びネットワークを介して要求データをサーバー装置に送信」し，「サーバー装置」は，「通信部を介して前記要求データを受信」し，要求データに対応して，「画像処理部で画像処理が行なわれた医用画像データを通信部及びネットワークを介して，『要求データをサーバー装置に送信した端末装置と同一の装置である端末装置』，すなわち「前記端末装置」に送信」し，「端末装置は，通信部を介して画像処理が行なわれた医用画像データを受信し，画像処理が行なわれた医用画像を表示部に表示」する構成を含むものである。
　そうすると，本願発明と引用発明は，後記の点で相違するものの，「端末装置は，通信部及びネットワークを介して要求データをサーバー装置に送信し，サーバー装置は，通信部を介して前記要求データを受信し，画像処理部は，医用画像データについて画像処理を行ない，サーバー装置は，前記画像処理が行なわれた医用画像データを通信部及びネットワークを介して，要求データをサーバー装置に送信した端末装置と同一の装置である端末装置に送信し，端末装置は，通信部を介して前記画像処理が行なわれた医用画像データを受信し，前記画像処理が行なわれた医用画像を表示部に表示」する点で共通する。
　
イ　以上のことから，本願発明と引用発明との一致点及び相違点は，次のとおりである。
［一致点］
　表示部を有する複数の端末装置の通信部と，サーバー装置の通信部とがネットワークを介して接続され，画像処理部を有する医用画像提供システムであって，
　端末装置は，通信部及びネットワークを介して要求データをサーバー装置に送信し，
　サーバー装置は，通信部を介して前記要求データを受信し，
　画像処理部は，医用画像データについて画像処理を行ない，
　サーバー装置は，前記画像処理が行なわれた医用画像データを通信部及びネットワークを介して，要求データをサーバー装置に送信した端末装置と同一の装置である端末装置に送信し，
　端末装置は，通信部を介して前記画像処理が行なわれた医用画像データを受信し，前記画像処理が行なわれた医用画像を表示部に表示する，
　医用画像提供システム。
　
［相違点１］
　本願発明の「端末装置」は，「送信加入者装置」と「受信加入者装置」を含むのに対し，引用発明は，対応する構成が特定されていない点。
［相違点２］
　本願発明は，サーバー装置が画像処理部を有し，端末装置からサーバー装置に送信される「要求データ」が，「医用画像データを含む画像処理要求データ」であり，端末装置は，医用画像データを含む画像処理要求データをサーバー装置に送信し，画像処理部は，受信した画像処理要求データに含まれる医用画像データについて画像処理を行ない，サーバー装置は，画像処理が行なわれた医用画像データを「画像処理が行なわれた医用画像データを含む画像処理結果データ」として端末装置に送信するのに対し，引用発明は，画像処理部がサーバー装置とは別に設けられ，画像処理部により医用画像データに解像度変更処理及び画像処理が施された画像処理済データ，すなわち，「画像処理が行なわれた医用画像データ」をサーバー装置に記憶しておき，端末装置が，サーバー装置に記憶された「画像処理が行なわれた医用画像データ」を読み出す点。
［相違点３］
　本願発明は，サーバー装置が「セキュリティ管理部」を有し，「セキュリティ管理部は，受信した要求データから端末装置の要求の正当性をチェックし，セキュリティ管理部がチェックした前記要求が正当であった場合に」その後の処理を実行するのに対し，引用発明は，「セキュリティ管理部」に相当する構成について特定されていない点。
［相違点４］
　「画像処理部が行なう画像処理」について，本願発明は，「平滑化，微分，ラプラシアン，線条検出もしくはバンドパスのイメージ処理，又は，加算，減算もしくはＭＩＰ（Maximum Intensity Projection）の投影処理」であることが特定されているのに対し，引用発明は，「例えば，階調処理，強調処理，周波数処理等の画像の内容自体を変更する処理」であり，前記本願発明に特定された処理と異なる点。
　
（５）判断
ア　相違点１及び相違点３について
（ア）引用例２には，前記のとおり，医療画像データを含む患者の医療データを集中管理し，利用者からの要求に応じて上記医療データを提供する医療支援システムにおいて，データ管理機関のホストが，利用者から送られてくる認証用データに基づいて利用者の認証を行う認証手段を備え，認証された利用者に対してあらかじめ利用を定めたデータのみを提供する発明（引用例２発明）が記載されている。
　引用例２発明において，認証された利用者である「医療機関」及び「一般宅」は，医療支援システムの「加入者」ということができ，各利用者が，ネットワークを介してシステムに接続される端末装置を備えることは自明である。また，「認証手段」は，「セキュリティ管理部」ということができる。
（イ）引用発明において，同様に医療ネットワークシステムに係る引用例２発明を適用し，利用者である画像出力装置を，それぞれ「加入者」として管理し，送信のみを行う「送信加入者装置」，受信のみを行う「受信加入者装置」を設定すること，すなわち，相違点１に係る構成とすることは，当業者が容易に想到し得たことである。
　また，ネットワークシステム一般において，システムの利用者を認証用データに基づいて管理することは，引用例２発明にも採用されているように，常とう手段であり，引用発明の「画像出力システム」において，画像サーバが「セキュリティ管理部」に相当する構成を備え，画像出力装置からの要求の正当性をチェックし，要求が正当であった場合にその後の処理を実行する構成とすること，すなわち，相違点３に係る構成とすることは，当業者が容易に想到し得たことである。
（ウ）以上のとおり，相違点１及び相違点３に係る構成は，引用発明及び引用例２発明に基づいて当業者が容易に想到し得たことである。
　
イ　相違点２について
（ア）引用例３には，前記のとおり，メディカルネットワークシステムにおいて，「参照端末でも診断用の高性能ワークステーションなどと同等の高速な画像処理，表示を行うことができ，かつコストがかからないメディカルネットワークシステムを実現すること」（段落【０００９】）を課題とし，その解決手段として，参照端末上で画像データの表示が要求されると，参照端末から画像処理サーバに画像データと画像パラメータを送信し，画像処理サーバ上で画像処理を行い，処理済画像データを参照端末に返送し，参照端末は，画像処理サーバから返送された処理済画像データに基づいて表示を行う構成とした発明（引用例３発明）が記載されている。
（イ）引用発明は，メディカルネットワークシステムにおいて，「用途別に表示品質の異なる画像出力装置が複数接続されたネットワークにおいても，記憶装置から読み出された画像データを用途に応じてより高速に転送或いは出力（表示）できるように，画像データを記憶装置に記憶させる画像記憶方法，および該方法を適用した画像出力システムを提供すること」（段落【０００８】）を課題とし，画像処理手段により画像処理が行なわれた画像処理済データを画像サーバ（サーバー装置）に記憶しておき，画像サーバは，画像出力装置（端末装置）からの要求に基づいて，記憶された画像処理済データを画像出力装置に送信し表示する構成としたものであり，引用例３発明とは，端末装置側における画像処理負担を軽減しつつ高速な表示を実現することを課題としている点で共通するものである。
　そうすると，引用発明と引用例３発明とは，その技術分野及び課題が共通することから，引用発明において，引用例３発明における解決手段を採用し，画像出力装置（端末装置）に医用画像を表示するに当たり，画像出力装置から画像サーバ（サーバー装置）に画像データと画像パラメータを送信し，画像サーバ上で画像処理を行い，処理済の画像データを画像出力装置に返送し，画像出力装置は，画像サーバから返送された処理済の画像データに基づいて表示を行う構成とすることは，当業者が容易に想到し得たことである。
　その際，画像サーバが画像処理手段（画像処理部）を備えた構成とすること，また，画像サーバに送信するデータを「医用画像データを含む画像処理要求データ」とし，画像サーバから返送されるデータを「画像処理が行なわれた医用画像データを含む画像処理結果データ」とすることは，当業者が適宜なし得る設計事項である。
（ウ）以上のとおり，相違点２に係る構成は，引用発明及び引用例３発明に基づいて当業者が容易に想到し得たことである。
　
ウ　相違点４について
（ア）画像処理において，平滑化，微分，ラプラシアン，線条検出，バンドパスのイメージ処理，加算，減算，ＭＩＰ（Maximum Intensity Projection）の投影処理等が用いられることは，当該技術分野における技術常識である。
　例えば，特開平１０−２４０９１４号公報（平成１０年９月１１日出願公開）及び特開２０００−１７２８３６号公報（平成１２年６月２３日出願公開）には，次のとおり記載されている。
ａ　特開平１０−２４０９１４号公報（平成１０年９月１１日出願公開）
「【０００１】・・・本発明は，電子画像の表示方法および電子画像表示装置に関し，特に，Ｘ線らせんＣＴ装置で撮像した医療画像を複数の医師で読影するための表示方法および表示装置に適用して有効な技術に関するものである。」
「【００３８】表示画像作成手段１０３は，画像空間情報記憶手段４と画像処理手段５とからなり，各手段の詳細は後述する。
【００３９】読影者入力手段１は，たとえば，電子画像表示装置を操作するための周知の操作卓であり，読影者１０１は読影者入力手段１を操作することによって，画像表示手段７に表示するＣＴ画像のスライス位置（データ位置），ウィンドウ条件（ＷＬ，ＷＷ），および，拡大率等のその他の表示条件を設定する。ただし，その他の表示条件としては，読影に用いられる可能性のある画像処理の全てが対象となる。たとえば，ＣＴ画像の拡大縮小，各種フィルタ処理（輪郭強調，ぼかし，エッジ強調，エッジ抽出，モルフォルジー処理，ローパス処理，ハイパス処理，バンドパス処理等），三次元処理（ＭＩＰやｍｉｎ−ＩＰ等の各種ボリュームレンダリング，各種サーフェースレンダリング），および，疑似カラー表示等がある。」
ｂ　特開２０００−１７２８３６号公報（平成１２年６月２３日出願公開）
「【０００７】・・・本発明の課題は，イメージスプレッドシートを生成するイメージングシステム及びイメージスプレッドシートを実行する方法において，医療診断及び治療に使用するために，種々多様なモダリティからの画像をマッチングさせることにある。」
「【００３６】セル関数として実行される，最大値投影法，つまり，ＭＩＰ（ｍａｘｉｍｕｍｉｎｔｅｎｓｉｔｙ  ｐｒｏｊｅｃｔｉｏｎ）乃至ＭａｘＩＰ及び最小値投影法，つまり，ＭｉｎｉＩＰ（ｍｉｎｉｍｕｍ  ｉｎｔｅｎｓｉｔｙ  ｐｒｏｊｅｃｔｉｏｎ）のような，付加的なオペレーションを実行してもよい。・・・
【００３７】従って，他の関数及びイメージングオペレーションは，エッジ検出，低域／高域通過バンドパスフィルタ，及び，ノイズ低減；同様に，スレッショールディング；グレイレベルウィンドゥイング；エッジ検出のような画像強調，低域／高域通過フィルタリング，ブレーリング（ｂｌｕｒｒｉｎｇ），及びカラーモディフィケーション；スタティック及びモーションベースのオペレーションのようなセグメンテーション；モルフィング；ステレオコレスポンデンス；ボリュームレンダリング（描画）及びサーフィスレンダリングのようなビジュアリゼーション；比較演算；クロッピング／マスキング；例えば，ニューラルネットワーク及びクラシファイヤを用いた対象認識；イメージアーカイブマニピュレーション；ビデオ編集；及び，インタラクティブマウスコントロールローテーション，スケーリング及び画像の変換のような，他の画像間演算等を実行するとよい。・・・」
（イ）また，上記発明特定事項に関連して本願明細書を参照すれば，「前記画像処理は，例えば平滑化，微分，ラプラシアン，線条検出，バンドパスなどのイメージフィルタ処理や，加算，減算，ＭＩＰ（Maximum Intensity Projection）などの投影処理である。」（本願明細書，段落【００８４】）と記載されているものの，これらを特定したことについて，その根拠や技術的意義は示されていない。
（ウ）以上のとおりであるから，本願発明の相違点４に係る構成は，画像処理部が当然に備える画像処理の要素を例示的に列挙したにすぎないものと認められる。
　相違点４は，格別のことではない。
　
エ　そして，これらの相違点を総合的に勘案しても，本願発明の奏する作用効果は，引用例１ないし３に記載された発明及び技術常識の奏する作用効果から予測される範囲内のものにすぎず，格別顕著なものということはできない。
　したがって，本願発明は，引用例１ないし３に記載された発明及び技術常識に基づいて，当業者が容易に発明をすることができたものである。
　
３　むすび
　以上のとおり，本願の請求項１に係る発明は，特許法２９条２項の規定により特許を受けることができないから，他の請求項に係る発明について検討するまでもなく，本願は拒絶されるべきものである。
　よって，結論のとおり審決する。